(57)【特許請求の範囲】
【請求項１】
商品登録処理に対応した各種商品データをロール状に巻き取られるジャーナル用紙に順次印字する商品販売登録データ処理装置において、
ジャーナル用紙毎に少なくともその最後端部に通し符号を印字させるようにしたことを特徴とする商品販売登録データ処理装置。
【請求項２】
商品登録処理に対応した各種商品データをロール状に巻き取られるジャーナル用紙に順次印字するジャーナルプリンタを備えた商品販売登録データ処理装置において、
ジャーナル用紙毎に通し符号を更新する更新手段と、ジャーナル用紙に対する通し符号の印字位置としてその最後端部の到来を判断する判断手段とを有して、この判断手段により通し符号の印字位置であると判断されたときにジャーナル用紙に対して前記ジャーナルプリンタにより通し符号を印字させる管理情報付加手段を備えたことを特徴とする商品販売登録データ処理装置。
【請求項３】
さらに、ジャーナル用紙の最先端部の到来を判断する第２の判断手段を有し、この第２の判断手段により判断されたジャーナル用紙の最先端部位置に通し符号を印字し、同一のジャーナル用紙の最先端部と最後端部への印字符号を同一としたことを特徴とする請求項２記載の商品販売登録データ処理装置。
【発明の詳細な説明】
【０００１】
【発明の属する技術分野】
本発明は、ＥＣＲ（電子式キャッシュレジスタ）やＰＯＳ（販売時点管理装置）端末等の商品販売登録データ処理装置に関する。
【０００２】
【従来の技術】
一般に、この種の商品販売登録データ処理装置では、ロール紙によるレシート用紙、ジャーナル用紙に印字を行うレシートプリンタ及びジャーナルプリンタを備えており、商品登録処理に伴う登録結果をレシートプリンタによりレシート用紙に印字するとともにジャーナルプリンタによりジャーナル用紙に印字している。そして、金銭授受を含む会計処理が済むと、レシート用紙は切断されてレシートとして発行され、顧客に手渡される。一方、ジャーナル用紙に印字されるジャーナルデータは売上げの詳細を示すデータであり、一般に、店舗における会計管理上のデータや各種分析データとして用いられるものであり、直ちに使用するものではない。よって、取引単位のレシート発行のような処理は不要であり、ジャーナルプリンタ側では印字後のジャーナル用紙も再びロール状に順次巻き取られ、例えば、全て巻き取った時点でジャーナル用紙を取り出すようにしている。従って、印字済みのジャーナル用紙はロール体の状態で事務所等のバックヤードで保管・管理される。
【０００３】
【発明が解決しようとする課題】
ところが、従来にあっては印字済みのジャーナル用紙はロール体のまま保管場所に無造作に置かれているだけであり、ジャーナルデータの確認作業時に不便を来すことがある。即ち、保管場所に保管されている幾つかのジャーナル用紙のロール体について確認作業を行う際に、ジャーナル用紙間の続きが分からないので、ロール体として丸めてあるジャーナル用紙を広げてそこに印字されている内容、特に日付を比較して順番に並べる、という作業を行わなくてはならず極めて面倒な上に、仮に、順番に並べたとしても、その後の作業中に再びその順番を乱してしまうこともあり、並び替えが徒労に終わることも多々あり得る。
【０００４】
そこで、本発明は、印字済みのジャーナル用紙に関してジャーナル用紙間の続き関係を容易かつ正確に知ることができ、ジャーナルデータの確認作業性のよい商品販売登録データ処理装置を提供することを目的とする。
【０００５】
【課題を解決するための手段】
請求項１記載の発明は、商品登録処理に対応した各種商品データをロール状に巻き取られるジャーナル用紙に順次印字する商品販売登録データ処理装置において、ジャーナル用紙毎に少なくともその最後端部に通し符号を印字させるようにした。請求項２記載の発明は、商品登録処理に対応した各種商品データをロール状に巻き取られるジャーナル用紙に順次印字するジャーナルプリンタを備えた商品販売登録データ処理装置において、ジャーナル用紙毎に通し符号を更新する更新手段と、ジャーナル用紙に対する通し符号の印字位置としてその最後端部の到来を判断する判断手段とを有して、この判断手段により通し符号の印字位置であると判断されたときにジャーナル用紙に対して前記ジャーナルプリンタにより通し符号を印字させる管理情報付加手段を備えた。
【０００６】
従って、印字済みの各ロール状のジャーナル用紙に関して少なくともその外周面に位置することになる最後端部にはジャーナル用紙間の続き関係を示す通し符号が印字されているので、或るジャーナル用紙に関して確認作業を行っている場合に後続の或いは先行するジャーナル用紙について確認したい場合には、ロール状のジャーナル用紙のまま通し符号で探せばよく、ジャーナルデータの確認作業の作業性がよくなる。
【０００７】
これらの発明において、通し符号としては、１，２，…等の通し番号が最も一般的であるが、順序立っていればよく、アルファベット等の符号であってもよい。また、最初から最後まで通し符号の重複を避ける必要はなく、区別の付く範囲で同じ通し符号を繰返し使用するようにしてもよい。また、請求項２記載の発明にあっては、通し符号がジャーナルプリンタによって印字されるが、請求項１記載の発明にあってはジャーナルプリンタによる印字に限らず、何らかの手段によって通し符号が印字されればよく、例えば、スタンプ印字等であってもよい。
【０００８】
請求項３記載の発明は、さらに、ジャーナル用紙の最先端部の到来を判断する第２の判断手段を有し、この第２の判断手段により判断されたジャーナル用紙の最先端部位置に通し符号を印字し、同一のジャーナル用紙の最先端部と最後端部への印字符号を同一とした。従って、ジャーナル用紙の最後端部のみならず最先端部にも同一の通し符号が印字されているので、例えば、現在確認作業を行っているジャーナル用紙を最後まで広げた後で他のジャーナル用紙に移行するような場合に現在のロール状のジャーナル用紙の通し符号の確認を簡単に行うことができる他、ロール状のジャーナル用紙の状況に応じて最後端部と最先端部との何れか都合のよいほうで確認できる。
【０００９】
【発明の実施の形態】
本発明の実施の一形態を図面に基づいて説明する。本発明の商品販売登録データ処理装置は、実施の形態の一つとして、コンビニエンスストア等で使用されるＰＯＳ端末１に適用されている。
【００１０】
図２に、そのＰＯＳ端末１の外観構成を示す。金銭を出し入れするドロワ２上の右側には、キャッシャが操作するキーボード３やクレジットカードなどのカードに記録されているカードデータを読取入力するカードリーダ４が設けられている。また、前記ドロワ２上の左側には、プリンタ５が搭載されている。このプリンタ５は周知のように、レシートプリンタとジャーナルプリンタとを兼用させたもので、外観的にはレシート発行口６とジャーナル確認窓７とを有している。さらに、前記キーボード３の後に位置させてキャッシャ用表示器（ＣＲＴ又はＦＩＵ）８が設けられ、前記プリンタ５の後に位置させて顧客用表示器（ＲＩＵ）９が設けられている。
【００１１】
ここに、前記ドロワ２は、金銭を収納するためのマネーケース１０と、このマネーケース１０を引出開放自在に収納するドロワ筐体１１とにより構成されている。前記マネーケース１０はドロワ開放装置１２（図３のブロック図参照）により引出開放されるように構成されている。
【００１２】
次に、前記ＰＯＳ端末１のハードウェア構成を図３により説明する。まず、このＰＯＳ端末１は、制御部本体としてＣＰＵ１３を搭載している。このＣＰＵ１３には、バスライン１４を介して、制御プログラム等の固定的データが予め格納されたＲＯＭ１５や、可変的なデータを一時記憶するためのＲＡＭ１６が接続され、さらに、外部記憶装置としてＨＤＤ１７やＦＤＤ１８が接続されている。また、前記ＣＰＵ１３には、前記バスライン１４及び各種のコントローラ（図示せず）やＩ／Ｏ装置（図示せず）を介して、モード設定スイッチ（鍵スイッチ）１９付きのキーボード３、カードリーダ４、プリンタ５、キャッシャ用表示器８、顧客用表示器９、ドロワ開放装置１２などが接続され、さらに、外付けのバーコードスキャナ２０や時計回路２１も接続されている。この他、インライン２２を介して外部のストアコントローラ２３にも接続されている。
【００１３】
前記キーボード３には商品売上登録業務等に必要な置数キー、小計キー、締めキー等が配列されている。また、前記モード設定スイッチ１９により設定される業務モードとしては、「登録」「点検」「精算」「設定」等がある。ここに、キャッシャが「登録」モードに設定して商品の売上登録処理を実行する際には、レジ責任者Ｎｏ．が登録される。
【００１４】
さらに、以下に説明する管理情報付加手段及びこの管理情報付加手段中に含まれる更新手段、判断手段の各機能は、前記ＲＯＭ１５中に格納されたプログラムに基づき前記ＣＰＵ１３により実行されるように構成されている。
【００１５】
次に、前記ＲＯＭ１５中に格納されているプログラムに従い前記ＣＰＵ１３により実行される登録モード時の処理制御について図５に示すフローチャートを参照して説明する。モード設定スイッチ１９により登録モードに設定されている状態では、商品登録処理に伴う商品のスキャニング動作が適宜実行され（ステップＳ１１）、その商品登録処理に対応した各種商品データがプリンタ５中のジャーナルプリンタによってジャーナル用紙２４に印字される（Ｓ１２）。この時、ジャーナル用紙２４は巻取機構によりロール状に巻き取られながら印字される。また、ジャーナル印字と並行して或いは先行してレシート用紙への印字も実行される。ジャーナル印字に並行して、ジャーナル用紙２４がニアエンドに近づいたか否かがニアエンドセンサ（図示せず）により監視されており、ニアエンド信号が発生しているか否かが判断される（Ｓ１３）。本実施の形態では、ジャーナル用紙２４の最後端部が管理番号（通し符号）の印字位置として設定されており、ニアエンド信号が発生しているか否かの判断は、ジャーナル用紙２４に対する管理番号の印字位置が到来したか否かの判断を意味する。従って、このステップＳ１３の判断処理が、第１の判断手段の機能として実行される。ニアエンド信号が出ていない場合には（Ｓ１３のＮ）、ステップＳ１１，Ｓ１２の処理が繰り返される。
【００１６】
一方、ニアエンド信号が出ていれば（Ｓ１３のＹ）、ジャーナル用紙２４に対する管理番号の印字位置が到来したと判断され、そのジャーナル用紙２４の最後端部に管理番号がジャーナルプリンタによって印字される（Ｓ１４）。管理番号は図４に示すように設定業務において、１に初期化されており（Ｓ１）、最初であれば、ジャーナル管理番号１が印字されることになる。このステップＳ１４の処理が、管理情報付加手段の主要な機能として実行される。引き続き、管理番号がインクリメントされ（Ｓ１５）、次に装填されるジャーナル用紙２４用に更新される。このステップＳ１５の処理が更新手段の機能として実行される。本実施の形態では、管理番号は１から１００までが１サイクルとして設定されており、管理番号をインクリメントした後、管理番号が１００を超えているか否かが判断され（Ｓ１６）、１００を超えている場合には管理番号が１に初期化される（Ｓ１７）。
【００１７】
また、ニアエンド信号が出る場合には、ジャーナル用紙２４の交換セットが促され、このニアエンド信号は新しいジャーナル用紙２４をジャーナルプリンタに装填することによりオフされる。そこで、ニアエンド信号が出なくなったか否かの判断により（Ｓ１８）、新たなジャーナル用紙２４が交換セットされたか否かが判断される。本実施の形態では、ジャーナル用紙２４の最先端部も管理番号（通し符号）の印字位置として設定されており、ニアエンド信号が出なくなったか否かの判断は、ジャーナル用紙２４に対する管理番号の印字位置が到来したか否かの判断を意味する。従って、このステップＳ１８の判断処理が、第２の判断手段の機能として実行される。ニアエンド信号が出ている場合には（Ｓ１８のＮ）、ジャーナル用紙２４が交換セットされるまでその状態が継続する。
【００１８】
一方、ニアエンド信号が出なくなっていれば（Ｓ１８のＹ）、ジャーナル用紙２４に対する管理番号の印字位置が到来したと判断され、そのジャーナル用紙２４の最先端部にジャーナル管理番号がジャーナルプリンタによって印字される（Ｓ１９）。管理番号はステップＳ１５でインクリメントされた番号或いはステップＳ１７で初期化された番号１が印字されることになる。このステップＳ１９の処理も、管理情報付加手段の主要な機能として実行される。
【００１９】
このような構成によれば、ジャーナル用紙２４がジャーナルプリンタに装填される毎にその最先端部にジャーナル管理番号が印字されるとともに（Ｓ１９）、そのジャーナル用紙２４の終端まで印字が進んで交換時期になると、その最後端部にジャーナル管理番号が印字され（Ｓ１４）、その後、ロール体の状態で保管されることになる。即ち、図１に示すように印字済みの各ジャーナル用紙２４は最先端部と最後端部とに通し番号による同一のジャーナル管理番号が印字されるものであり、最後端部に印字されたジャーナル管理番号が外周面に位置して視認し得る状態でロール体として保管される。
【００２０】
従って、本実施の形態によれば、ロール体の状態で保管される印字済みのジャーナル用紙２４に関して、その外周面に位置して視認し得る最後端部にジャーナル管理番号が印字されているので、或るジャーナル用紙２４に関して確認作業を行っている場合に後続の或いは先行するジャーナル用紙２４について確認したい場合には、ロール体のままでジャーナル管理番号を頼りに所望のジャーナル用紙２４を探せばよく、各ロール体が無造作に保管されていても特に支障がなく、ジャーナルデータの確認作業の作業性がよくなる。特に、本実施の形態では、外周面に露出する最後端部だけでなく、最内周部に位置することになる最先端部にもジャーナル管理番号が印字されているので、例えば、現在確認作業を行っているジャーナル用紙２４を最後まで広げた後で先行する他のジャーナル用紙２４の確認作業に移行したいような場合に現在のジャーナル用紙２４のジャーナル管理番号の確認を簡単に行うことができ、便利である。さらには、ジャーナル用紙２４の状況（ロール体状態にあるか、広げた状態にあるか）に応じて最後端部と最先端部との何れか都合のよいほうで簡単に確認できる。
【００２１】
【発明の効果】
請求項１及び２記載の発明によれば、印字済みの各ロール状のジャーナル用紙に関して少なくともその外周面に位置することになる最後端部にジャーナル用紙間の続き関係を示す通し符号が印字されるので、或るジャーナル用紙に関して確認作業を行っている場合に後続の或いは先行するジャーナル用紙について確認したい場合には、ロール状のジャーナル用紙のまま通し符号で探せばよく、ジャーナルデータの確認作業の作業性を向上させることができる。加えて、請求項３記載の発明によれば、ジャーナル用紙の最後端部のみならず最先端部にも同一符号による通し符号が印字されるので、例えば、現在確認作業を行っているジャーナル用紙を最後まで広げた後で他のジャーナル用紙に移行するような場合に現在のロール状のジャーナル用紙の通し符号の確認を簡単に行うことができる他、ロール状のジャーナル用紙の状況に応じて最後端部と最先端部との何れか都合のよいほうで簡単に確認することができる。
【図面の簡単な説明】
【図１】本発明の実施の一形態のジャーナル用紙の両端部付近を展開して示す平面図である。
【図２】ＰＯＳ端末の外観を示す斜視図である。
【図３】ＰＯＳ端末のハードウェア構成を示すブロック図である。
【図４】設定モードの処理制御の一部を示すフローチャートである。
【図５】登録モードの処理制御を示すフローチャートである。
【符号の説明】
５      ジャーナルプリンタ
２４      ジャーナル用紙
【図１】
0003636258.tif 000002
【図２】
0003636258.tif 000003
【図３】
0003636258.tif 000004
【図４】
0003636258.tif 000005
【図５】
0003636258.tif 000006